(57)【要約】【課題】  デジタルコピー制限のレベルが混在するコンテンツのダビングや出力を行う場合に、簡便に処理を行うコンテンツ記録・再生装置及び方法を提供する。【解決手段】  コンテンツ記録・再生装置にデジタル放送データ内のコピー制御情報を検出するコピー制御情報検出手段と、コンテンツ記録・再生装置内の各手段の制御を行う制御手段を設け、該制御手段はデジタル放送データ内のコピー制御情報の内容が切り替わる時点で、それまで記録媒体に記録していた映像・音声ファイル及び映像音声情報ファイルのファイル終端処理を行い、コピー制御情報が切り替わった後の映像あるいは音声を新たな映像・音声ファイル及び映像・音声情報ファイルとして記録制御を行うことを特徴とする。また、記録したコンテンツのコピー制御情報を格納し、映像・音声ファイルと同様に記録媒体に記録するコピー制御情報ファイルも映像・音声ファイルの記録と同様に、デジタル放送データ内のコピー制御情報の内容が切り替わるごとに新たなコピー制御情報ファイルとして記録制御を行う。【選択図】図１
2010152999.tif 000002
【特許請求の範囲】
【請求項１】
デジタル放送のコンテンツを記録及び再生するコンテンツ記録・再生装置において、
ユーザが選択したチャンネルのデジタル放送波を映像圧縮データまたは音声圧縮データと、少なくとも制限無しにコピー可能、１世代のみコピー可能、コピー禁止を区別可能な情報であるコピー制御データとを含むデジタル放送データに変換する放送受信手段と、
該デジタル放送データと、該映像圧縮データまたは該音声圧縮データを一時記憶する一時記憶手段と、
該放送受信手段が変換したデジタル放送データから該コピー制御データを検出する第１コピー制御情報検出手段と、
該放送受信手段が変換したデジタル放送データから該コピー制御データを検出し、該デジタル放送データから該映像圧縮データまたは該音声圧縮データを判別して取り出し該一時記憶手段に記録する第２コピー制御情報検出手段と、
該映像圧縮データまたは該音声圧縮データを記録する記録媒体とのデータの書き込み及び読み出しを行う記録手段と、
該放送受信手段と該第１コピー制御情報検出手段と該第２コピー制御情報検出手段と該記録手段の制御を行うことで該映像圧縮データまたは該音声圧縮データを有する映像・音声ファイル、該映像圧縮データまたは該音声圧縮データに関する情報を有する映像・音声情報ファイル、該映像・音声ファイルについて少なくともコピー制限無しもしくは更なるコピー禁止を区別可能な情報であるコピー制御情報を有するコピー制御情報ファイルを生成し、記録媒体に記録するよう制御する制御手段を有し、
該制御手段は該コピー制御データが異なるコンテンツが連続しているデジタル放送データから該映像・音声ファイル、該映像・音声情報ファイル、及び該コピー制御情報ファイルを生成して記録媒体に記録する場合、該コピー制御データが変わるたびに該映像・音声ファイル、該映像・音声情報ファイル、及びコピー制御情報ファイルを新たなファイルとして記録し、さらに該コピー制御データがコピー禁止を示している場合には該映像・音声ファイル、該映像・音声情報ファイル、及び該コピー制御情報ファイルを生成しないよう制御することを特徴とするコンテンツ記録・再生装置。
【請求項２】
デジタル放送のコンテンツを記録及び再生するコンテンツ記録・再生装置において、
ユーザが選択したチャンネルのデジタル放送波を映像圧縮データまたは音声圧縮データと、少なくとも制限無しにコピー可能、１世代のみコピー可能、コピー禁止を区別可能な情報であるコピー制御データとを含むデジタル放送データに変換する放送受信手段と、
該デジタル放送データと、該映像圧縮データまたは該音声圧縮データを一時記憶する一時記憶手段と、
該放送受信手段が変換したデジタル放送データから該コピー制御データを検出する第１コピー制御情報検出手段と、
該放送受信手段が変換したデジタル放送データから該コピー制御データを検出し、該デジタル放送データから該映像圧縮データまたは該音声圧縮データを判別して取り出し該一時記憶手段に記録する第２コピー制御情報検出手段と、
該映像圧縮データまたは該音声圧縮データを記録する記録媒体とのデータの書き込み及び読み出しを行う記録手段と、
該放送受信手段と該第１コピー制御情報検出手段と該第２コピー制御情報検出手段と該記録手段の制御を行うことで該映像圧縮データまたは該音声圧縮データを有する映像・音声ファイル、該映像圧縮データまたは該音声圧縮データに関する情報を有する映像・音声情報ファイル、該映像・音声ファイルについて少なくともコピー制限無しもしくは更なるコピー禁止を区別可能な情報であるコピー制御情報を有するコピー制御情報ファイルを生成し、記録媒体に記録するよう制御する制御手段を有し、
該制御手段は該コピー制御データが異なるコンテンツが連続しているデジタル放送データから該映像・音声ファイル、該映像・音声情報ファイル、及び該コピー制御情報ファイルを生成して記録媒体に記録する場合、該コピー制御データが変わるたびに該映像・音声ファイル、該映像・音声情報ファイル、及びコピー制御情報ファイルを新たなファイルとして記録し、さらに該コピー制御データがコピー禁止を示している場合にはコピー禁止を示す映像または音声についての該映像・音声ファイル、該映像・音声情報ファイル、及び該コピー制御情報ファイルを生成し記録するよう制御することを特徴とするコンテンツ記録・再生装置。
【請求項３】
請求項１乃至２に記載のコンテンツ記録・再生装置であって、
前記記録手段を複数有し、
前記制御手段は、ある記録手段の記録媒体に記録している映像・音声ファイル、及び映像・音声情報ファイルを別の記録手段の記録媒体にコピーする場合に、コピー対象の映像・音声ファイル及び映像・音声情報ファイルに対応する全てのコピー制御情報ファイルについてコピー制御情報を読み出し、更なるコピー禁止を示しているコピー制御情報を有するコピー制御情報ファイルに対応する映像・音声ファイル及び当該映像・音声ファイルに対応する映像・音声情報ファイルはコピーしないように該第２コピー制御情報検出手段と該記録手段の制御を行うことを特徴とするコンテンツ記録・再生装置。
【請求項４】
請求項１乃至２に記載のコンテンツ記録・再生装置であって、
外部デジタル機器とデジタル接続し、前記一時記憶手段に記憶しているデータを外部デジタル機器に出力するデジタルインタフェース手段を有し、
前記制御手段は、ある記録手段の記録媒体に記録している映像・音声ファイル、及び映像・音声情報ファイルを外部デジタル機器に出力する場合に、出力対象の映像・音声ファイル及び映像・音声情報ファイルに対応する全てのコピー制御情報ファイルについてコピー制御情報を読み出し、更なるコピー禁止を示しているコピー制御情報を有するコピー制御情報ファイルに対応する映像・音声ファイル及び当該映像・音声ファイルに対応する映像・音声情報ファイルは出力しないように該第２コピー制御情報検出手段と該デジタルインタフェース手段の制御を行うことを特徴とするコンテンツ記録・再生装置。
【請求項５】
請求項１乃至４に記載のコンテンツ記録・再生装置であって、
前記制御手段は、暗号化されていない映像圧縮データまたは音声圧縮データを記録媒体に記録するよう制御する場合は、暗号化されていない映像圧縮データまたは音声圧縮データを有する映像・音声ファイルに対応するコピー制御情報ファイルは作成しないことを特徴とするコンテンツ記録・再生装置。
【請求項６】
請求項１乃至５に記載のコンテンツ記録・再生装置であって、
前記制御手段は記録媒体にＳｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎ規格及びＡｄｖａｎｃｅｄ  Ａｃｃｅｓｓ Ｃｏｎｔｅｎｔ  Ｓｙｓｔｅｍ規格に準拠したディレクトリ及びファイル構成で記録するよう制御を行うことを特徴とするコンテンツ記録・再生装置。
【請求項７】
デジタル放送のコンテンツを記録するコンテンツ記録方法であって、
少なくとも制限無しにコピー可能、１世代のみコピー可能、コピー禁止を区別可能な情報であるコピー制御情報とともにデジタル放送のコンテンツを受信し、
前記受信したコンテンツを前記コピー制御情報が変わることを契機に新たなファイルとして記録する、
コンテンツ記録方法。
【請求項８】
請求項７記載の記録方法であって、
前記受信したコンテンツのコピー制御情報が制限無しにコピー可能以外から制限無しにコピー可能に変わったときには、受信しているコンテンツを新たなファイルとして記録し、
前記受信したコンテンツのコピー制御情報が１世代のみコピー可能以外から１世代のみコピー可能に変わったときには、受信しているコンテンツを新たなファイルとして記録し、かつ該ファイルの制御情報ファイルを記録する、
コンテンツ記録方法。
【請求項９】
請求項７記載の記録方法であって、
前記受信したコンテンツのコピー制御情報が制限無しにコピー可能以外から制限無しにコピー可能に変わったときには、受信しているコンテンツを新たなファイルとして記録し、
前記受信したコンテンツのコピー制御情報が１世代のみコピー可能以外から１世代のみコピー可能に変わったときには、受信しているコンテンツを新たなファイルとして記録し、
前記受信したコンテンツのコピー制御情報がコピー禁止以外からコピー禁止に変わったときには、受信しているコンテンツを新たなファイルとして記録しないように制御する、
コンテンツ記録方法。
【発明の詳細な説明】
【技術分野】
【０００１】
本発明は、デジタルコピー制限のレベルが異なるものが混在する、デジタル放送のコンテンツを記録・再生する装置、及び方法に関するものである。
【背景技術】
【０００２】
近年、放送のデジタル化が各国で進んでいる。放送のデジタル化により、アナログ放送よりも高品質の映像や音声が一般家庭で受信可能となっている。そのためコンテンツが高品質のままデジタルコピーなどで頒布される場合が考えられる。映画配給会社のようなコンテンツ供給者にとっては、契約者のみに有料で自身のコンテンツを頒布したいであろうし、例えば商品販売会社の宣伝部門のようなコンテンツ供給者にとっては、可能な限り多くの視聴者にＣＭ映像を見てもらいたいと考えるであろう。このように様々なコンテンツ頒布の条件に対応するため、デジタル放送ではコンテンツ保護の仕組みに対応するため、コンテンツ情報にデジタルコピー制限のレベル情報を付加し、受信機側でデジタルコピー制限のレベルに応じて記録媒体に記録・管理を行う。また、受信機側では一旦記録したコンテンツを、デジタルコピー制限のレベル情報に応じてコンテンツのダビングや受信機外機器への出力を制御している。この制御はデジタルコピー制限のレベルが細分化されたり、異種レベルの映像が混在したりするに従い、管理が煩雑になりがちである。
【０００３】
このため、デジタルコピー制限のレベルが混在する場合のコンテンツ記録・管理の煩雑化を抑える技術として、特許文献１は、コピー情報管理ファイルとして、コンテンツがコピー禁止のものか、コピーフリーのものかを示すコピー情報を含むコピー情報管理ファイルを定義し、このコピー情報管理ファイルをディレクトリのエリアに持たせ、記録再生装置としては、上記のコピー情報管理ファイルを監視、或は追記できるようにしたものである。また、特許文献２は、ユーザーが記録時や再生時や編集時やあるいはダビング時における各部の動作をあらかじめ設定し、放送コンテンツのコピー制御情報の変化点にチャプターマーク付加手段でチャプターマークを付加し記録媒体に記録することにより、チャプターマークとコピー制御情報を用い、ユーザーの設定に従ってコンテンツを記録／再生／削除／編集／ムーブ等させることを可能にしたものである。また、特許文献３は、Ｖｉｄｅｏフォーマットにより放送番組の録画を行っている際に、放送電波から著作権保護情報を著作権保護情報検出手段により検知した場合、録画を停止すると共に録画形式をＶＲフォーマットに変更し、Ｖｉｄｅｏフォーマットにより録画していた録画データは、ファイナライズ時にＶＲフォーマットによるファイルシステムを記録する際に、所定のディレクトリを作成し、該ディレクトリに属するように記録するものである。
【０００４】
【特許文献１】特開２００３−２２６１０号公報
【特許文献２】特開２００６−１７９１４９号公報
【特許文献３】特開２００７−１２３９９７号公報
【発明の開示】
【発明が解決しようとする課題】
【０００５】
しかしながら、特許文献１では、コンテンツのダビングや外部出力を行う場合にはコピー制御情報管理ファイルの内容を順次探索し、内容に応じて逐次処理を行うため、処理が煩雑となる。特許文献２では、コンテンツ内のコピー制御情報の変化点にチャプターマークをつけ、ユーザはチャプターマーク単位でのダビング、外部出力しか行えないため、ユーザが不便を感じる。特許文献３では、２種のフォーマットが混在するため、ディレクトリ管理などが煩雑になる。
【０００６】
本発明は、上記のような課題を鑑みてなされたものであり、デジタルコピー制限のレベルが混在するコンテンツのダビングや出力を行う場合に、簡便に処理を行うコンテンツ記録・再生装置及び方法を提供する。
【課題を解決するための手段】
【０００７】
請求項１に記載の発明は、ユーザが選択したチャンネルのデジタル放送波を映像圧縮データまたは音声圧縮データと、少なくとも制限無しにコピー可能、１世代のみコピー可能、コピー禁止を区別可能な情報であるコピー制御データとを含むデジタル放送データに変換する放送受信手段と、該デジタル放送データと、該映像圧縮データまたは該音声圧縮データを一時記憶する一時記憶手段と、該放送受信手段が変換したデジタル放送データから該コピー制御データを検出する第１コピー制御情報検出手段と、該放送受信手段が変換したデジタル放送データから該コピー制御データを検出し、該デジタル放送データから該映像圧縮データまたは該音声圧縮データを判別して取り出し該一時記憶手段に記録する第２コピー制御情報検出手段と、該映像圧縮データまたは該音声圧縮データを記録する記録媒体とのデータの書き込み及び読み出しを行う記録手段と、該放送受信手段と該第１コピー制御情報検出手段と該第２コピー制御情報検出手段と該記録手段の制御を行うことで該映像圧縮データまたは該音声圧縮データを有する映像・音声ファイル、該映像圧縮データまたは該音声圧縮データに関する情報を有する映像・音声情報ファイル、該映像・音声ファイルについて少なくともコピー制限無しもしくは更なるコピー禁止を区別可能な情報であるコピー制御情報を有するコピー制御情報ファイルを生成し、記録媒体に記録するよう制御する制御手段を有し、該制御手段は該コピー制御データが異なるコンテンツが連続しているデジタル放送データから該映像・音声ファイル、該映像・音声情報ファイル、及び該コピー制御情報ファイルを生成して記録媒体に記録する場合、該コピー制御データが変わるたびに該映像・音声ファイル、該映像・音声情報ファイル、及びコピー制御情報ファイルを新たなファイルとして記録し、さらに該コピー制御データがコピー禁止を示している場合には該映像・音声ファイル、該映像・音声情報ファイル、及び該コピー制御情報ファイルを生成しないよう制御することを特徴とする。
【０００８】
請求項２に記載の発明は、ユーザが選択したチャンネルのデジタル放送波を映像圧縮データまたは音声圧縮データと、少なくとも制限無しにコピー可能、１世代のみコピー可能、コピー禁止を区別可能な情報であるコピー制御データとを含むデジタル放送データに変換する放送受信手段と、該デジタル放送データと、該映像圧縮データまたは該音声圧縮データを一時記憶する一時記憶手段と、該放送受信手段が変換したデジタル放送データから該コピー制御データを検出する第１コピー制御情報検出手段と、該放送受信手段が変換したデジタル放送データから該コピー制御データを検出し、該デジタル放送データから該映像圧縮データまたは該音声圧縮データを判別して取り出し該一時記憶手段に記録する第２コピー制御情報検出手段と、該映像圧縮データまたは該音声圧縮データを記録する記録媒体とのデータの書き込み及び読み出しを行う記録手段と、該放送受信手段と該第１コピー制御情報検出手段と該第２コピー制御情報検出手段と該記録手段の制御を行うことで該映像圧縮データまたは該音声圧縮データを有する映像・音声ファイル、該映像圧縮データまたは該音声圧縮データに関する情報を有する映像・音声情報ファイル、該映像・音声ファイルについて少なくともコピー制限無しもしくは更なるコピー禁止を区別可能な情報であるコピー制御情報を有するコピー制御情報ファイルを生成し、記録媒体に記録するよう制御する制御手段を有し、該制御手段は該コピー制御データが異なるコンテンツが連続しているデジタル放送データから該映像・音声ファイル、該映像・音声情報ファイル、及び該コピー制御情報ファイルを生成して記録媒体に記録する場合、該コピー制御データが変わるたびに該映像・音声ファイル、該映像・音声情報ファイル、及びコピー制御情報ファイルを新たなファイルとして記録し、さらに該コピー制御データがコピー禁止を示している場合にはコピー禁止を示す映像または音声についての該映像・音声ファイル、該映像・音声情報ファイル、及び該コピー制御情報ファイルを生成し記録するよう制御することを特徴とする。
【０００９】
請求項３に記載の発明は、請求項１乃至２に記載の発明において、前記記録手段を複数有し、前記制御手段は、ある記録手段の記録媒体に記録している映像・音声ファイル、及び映像・音声情報ファイルを別の記録手段の記録媒体にコピーする場合に、コピー対象の映像・音声ファイル及び映像・音声情報ファイルに対応する全てのコピー制御情報ファイルについてコピー制御情報を読み出し、更なるコピー禁止を示しているコピー制御情報を有するコピー制御情報ファイルに対応する映像・音声ファイル及び当該映像・音声ファイルに対応する映像・音声情報ファイルはコピーしないように該第２コピー制御情報検出手段と該記録手段の制御を行うことを特徴とする。
【００１０】
請求項４に記載の発明は、請求項１乃至２に記載の発明において、外部デジタル機器とデジタル接続し、前記一時記憶手段に記憶しているデータを外部デジタル機器に出力するデジタルインタフェース手段を有し、前記制御手段は、ある記録手段の記録媒体に記録している映像・音声ファイル、及び映像・音声情報ファイルを外部デジタル機器に出力する場合に、出力対象の映像・音声ファイル及び映像・音声情報ファイルに対応する全てのコピー制御情報ファイルについてコピー制御情報を読み出し、更なるコピー禁止を示しているコピー制御情報を有するコピー制御情報ファイルに対応する映像・音声ファイル及び当該映像・音声ファイルに対応する映像・音声情報ファイルは出力しないように該第２コピー制御情報検出手段と該デジタルインタフェース手段の制御を行うことを特徴とする。
【００１１】
請求項５に記載の発明は、請求項１乃至４に記載の発明において、前記制御手段は、暗号化されていない映像圧縮データまたは音声圧縮データを記録媒体に記録するよう制御する場合は、暗号化されていない映像圧縮データまたは音声圧縮データを有する映像・音声ファイルに対応するコピー制御情報ファイルは作成しないことを特徴とする。
【００１２】
請求項６に記載の発明は、請求項１乃至５に記載の発明において、前記制御手段は記録媒体にＳｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎ規格及びＡｄｖａｎｃｅｄ  Ａｃｃｅｓｓ Ｃｏｎｔｅｎｔ  Ｓｙｓｔｅｍ規格に準拠したディレクトリ及びファイル構成で記録するよう制御を行うことを特徴とする。
【発明の効果】
【００１３】
本発明によれば、記録媒体に記録した、デジタルコピー制限のレベルが混在するコンテンツをダビング、出力を行う場合でも、簡便にダビング及び出力が可能となる。
【発明を実施するための最良の形態】
【００１４】
本発明を実施するための最良の形態を説明する。
【００１５】
以下、本発明のコンテンツ記録・再生装置及び方法の実施例について、図面を用いて説明する。
【実施例１】
【００１６】
実施例１を説明する。なお、本実施例及び以降の実施例は、社団法人電波産業会の地上デジタルテレビジョン放送運用規定、及びＢＳ/広帯域ＣＳデジタル放送運用規定によるＴＶ放送によるデジタルコンテンツ配信を受信するコンテンツ記録・再生装置を例とし、コンテンツの記録方式は、Ｓｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎに準拠し、コンテンツ保護方式はＡｄｖａｎｃｅｄ  Ａｃｃｅｓｓ Ｃｏｎｔｅｎｔ  Ｓｙｓｔｅｍ（ＡＡＣＳ）に準拠する例について示すが、一例であり、デジタルコンテンツ送信側においては、コンテンツ記録に関するコピー制御情報を定期的に送信し、受信側においては、コンテンツである映像や音声のストリームを記録し、コンテンツのコピー制御情報をファイルとして記録するコンテンツ記録・再生装置であれば、この限りではない。
【００１７】
本実施例において、ユーザが録画を開始してから録画を終了させるまでのコンテンツ記録・再生装置の動作を図１乃至図１１を用いて説明する。図１は本発明のコンテンツ記録・再生装置の構成例を図示したものである。コンテンツ記録・再生装置１は、図示していないＴＶ放送アンテナからＭＰＥＧ（Ｍｏｖｉｎｇ Ｐｉｃｔｕｒｅ Ｅｘｐｅｒｔｓ Ｇｒｏｕｐ）２−ＴＳ（Ｔｒａｎｓｐｏｒｔ Ｓｔｒｅａｍ）などのＴＶ放送波を受信し、デジタル放送データを生成し、デジタル放送データの映像圧縮データのデコードを行い、映像信号を生成し、例えばテレビのような映像出力手段２に出力し、また、デジタル放送データの音声圧縮データのデコードを行い、音声信号を生成し、例えばスピーカのような音声出力手段３へ出力する。コンテンツ記録・再生装置１と映像出力手段２及び音声出力手段３は例えばＨＤＭＩ（Ｈｉｇｈ−Ｄｅｆｉｎｉｔｉｏｎ Ｍｕｌｔｉｍｅｄｉａ Ｉｎｔｅｒｆａｃｅ）ケーブルやコンポジットケーブルなどで接続される。また、ユーザから録画開始や停止の指示を受けると、それに応じて例えばＨＤＤ（Ｈａｒｄ Ｄｉｓｃ Ｄｒｉｖｅ）やＢＤ−Ｒ（Ｂｌｕ−ｒａｙ Ｄｉｓｃ Ｒｅｃｏｒｄａｂｌｅ）、ＢＤ−ＲＥ（Ｂｌｕ−ｒａｙ Ｄｉｓｃ Ｒｅｗｒｉｔａｂｌｅ）などの記録メディアへデジタル放送データの記録や記録停止を行う。図１では、コンテンツ記録・再生装置１、映像出力手段２及び音声出力手段３は別筐体としているが、録画機能付テレビのように１つの筐体に収めても良い。コンテンツ記録・再生装置１は、放送受信手段１０１、一時記憶手段１０２、第１コピー制御情報検出手段１０３Ａ、第２コピー制御情報検出手段１０３Ｂ、ＤＥＭＵＸ手段１０４、映像デコード手段１０５、音声デコード手段１０６、映像再生手段１０７、音声再生手段１０８、第１記録手段１０９、第２記録手段１１０、制御手段１１１、及びユーザインタフェース手段１１２を有する。放送受信手段１０１は、ＴＶ放送アンテナから受信したＴＶ放送波から、ユーザの設定に基づき制御手段１１１があらかじめ設定したチャンネル放送のデジタル化を行い、デジタル放送データを生成するチューナーであり、一時記憶手段１０２は該デジタル放送データや、ＤＥＭＵＸ（デマルチプレクサ）処理やデコード処理などの各種デジタル処理において生成する中間データを一時的に記憶するメモリである。図２は一時記憶手段１０２の領域構成例を示したものであり、一時記憶手段１０２はデジタル放送データ記憶領域１０２１、映像圧縮データ記憶領域１０２２、音声圧縮データ記憶領域１０２３、映像データ記憶領域１０２５、音声データ記憶領域１０２６、及び記録データ記憶領域１０２７を有する。制御データ記憶領域１０２４は有しても良い。なお、デジタル放送データ記憶領域１０２１、映像圧縮データ記憶領域１０２２、音声圧縮データ記憶領域はＦＩＦＯ（Ｆｉｒｓｔ−Ｉｎ Ｆｉｒｓｔ−Ｏｕｔ）バッファとしてこれらの領域の読み書きを行う手段はメモリアドレス管理を行う。放送受信手段１０１は、前記デジタル放送データをデジタル放送データ記憶領域１０２１に書き込む。第１コピー制御情報検出手段１０３Ａ、及び第２コピー制御情報検出手段１０３Ｂは、該デジタル放送データ��含まれているコピー制御情報をサーチして、サーチ結果を後述の制御手段１１１へ通知する手段である。コピー制御情報とは、少なくとも「制約条件無しにコピー可能」、「１世代のみコピー可能」、及び「コピー禁止」のコピー制約のレベルを区別できる情報である。第１コピー制御情報検出手段１０３Ａと第２コピー制御情報検出手段１０３Ｂの違いは、前者は放送受信手段１０１からデジタル放送データを受け取り、該コピー制御情報をサーチして制御手段１１１に通知するのに対し、後者は一時記憶手段１０２に書き込んであるデジタル放送データを読み出し、該コピー制御情報をサーチして制御手段１１１に通知する点、及び、後者は読み出したデジタル放送データから映像圧縮データ及び音声圧縮データを検出し、一時記憶手段１０２の記録データ記憶領域１０２７に書き込む点である。ＤＥＭＵＸ手段１０４は一時記憶手段１０２のデジタル放送データ記憶領域１０２１に記憶してあるデジタル放送データを読み出し、映像圧縮データ、音声圧縮データ、及びそれら以外のデータ（以下制御データと呼ぶ）に振り分け、該映像圧縮データ、該音声圧縮データ、及び該制御データをそれぞれ一時記憶手段１０２の映像圧縮データ記憶領域１０２２、音声圧縮データ記憶領域１０２３、及び制御データ記憶領域１０２４に書き込む手段であり、映像デコード手段１０５はＭＰＥＧ２で圧縮されている該映像圧縮データを一時記憶手段１０２の映像圧縮データ記憶領域１０２２から読み出し、伸張処理を行って映像データに変換して一時記憶手段１０２の映像データ記憶領域１０２５に書き込む手段であり、音声デコード手段１０６はＭＰＥＧ２ ＡＡＣ（Ａｄｖａｎｃｅｄ Ａｕｄｉｏ Ｃｏｄｉｎｇ）やＡＣ３（Ａｕｄｉｏ Ｃｏｄｅ ｎｕｍｂｅｒ ３）などで圧縮されている該音声圧縮データを一時記憶手段１０２の音声圧縮データ記憶手段１０２３から読み出し、伸張処理を行って音声データに変換して一時記憶手段１０２の音声データ記憶手段１０２６に書き込む手段である。なお、本実施例では映像デコード手段１０５はＭＰＥＧ２の伸張処理を行うとしているが、デジタル放送で用いられている映像圧縮技術の種別に応じて伸張処理内容が変わるのは言うまでもなく、音声デコード手段１０６での伸張処理についても同様である。映像再生手段１０７は一時記憶手段１０２の映像データ記憶領域１０２５から該映像データを読み出し、ＮＴＳＣ（Ｎａｔｉｏｎａｌ Ｔｅｌｅｖｉｓｉｏｎ Ｓｔａｎｄａｒｄｓ Ｃｏｍｍｉｔｔｅｅ）信号のような規定のタイミングの映像信号として映像出力手段２に出力する手段であり、音声再生手段１０８は一時記憶手段１０２の音声データ記憶領域１０２６から該音声データを読み出し、該映像信号と同期したタイミングで音声信号を音声出力手段３に出力する手段であり、第１記録手段１０９及び第２記録手段１１０は、ＨＤＤやＢＤドライブなどの記録手段で、不揮発性記録媒体にコンテンツデータを記録及び読み出しをする手段であり、制御手段１１１はコンテンツ記録・再生装置１内の各手段の制御を行う手段であり、ユーザインタフェース手段１１２は、リモコン信号受信装置や液晶ディスプレイのようにユーザからの指示を受けたり、ユーザに対して情報を表示する��段である。
【００１８】
実施例１のコンテンツ記録・再生装置におけるユーザが録画を開始する前から録画を終了させるまでの動作について説明する。なお、本実施例では、第１記録手段１０９をＨＤＤドライブ、第２記録手段１１０をＢＤドライブとして動作を説明するが、第１記録手段１０９及び第２記録手段１１０の種別・組み合わせはこの限りではなく、ＳＤメモリカードドライブやメモリースティックドライブ、ｉＶＤＲドライブなど、他の不揮発性記録媒体のドライブであっても良い。
【００１９】
まず、ユーザが録画を開始する前、コンテンツ記録・再生装置がデジタル放送のコンテンツの再生のみを行う場合の動作について説明する。放送受信手段１０１はＴＶ放送アンテナからＴＶ放送波を逐次受信して、制御手段１１１があらかじめ設定したチャンネル放送のデジタル化を行い、デジタル放送データを生成し、一時記憶手段１０２のデジタル放送データ記憶領域１０２１に逐次書き込みを行う。また、該デジタル放送データは放送受信手段１０１から第１コピー制御情報検出手段１０３Ａにも渡される。第１コピー制御情報検出手段１０３Ａは、該デジタル放送データに含まれる、デジタルコピー制御情報を以下の手順でサーチを行い、デジタルコピー制御情報が見つかったら、制御手段１１１にその内容を通知する。デジタルコピー制御情報は、該デジタル放送データに含まれるＰｒｏｇｒａｍ Ｍａｐ Ｔａｂｌｅ（以下、ＰＭＴ）、Ｓｅｒｖｉｃｅ Ｄｅｓｃｒｉｐｔｉｏｎ Ｔａｂｌｅ（以下、ＳＤＴ）、もしくはＥｖｅｎｔ Ｉｎｆｏｒｍａｔｉｏｎ Ｔａｂｌｅ（以下、ＥＩＴ）に含まれているデジタルコピー制御記述子に含まれている。図３は該デジタルコピー制御記述子の構成を図示したものである。該デジタルコピー制御記述子は、ディスクリプタ識別子ＤＣＣ１、ディスクリプタ長ＤＣＣ２、コピー制御情報ＤＣＣ３、最大伝送レートフラグＤＣＣ４、コンポーネント制御フラグＤＣＣ５、予約領域ＤＣＣ６を有する。最大伝送レートフラグＤＣＣ４の値が１の場合には、予約領域ＤＣＣ６に続き、最大伝送レートＤＣＣ７を有し、コンポーネント制御フラグＤＣＣ５が１の場合には、予約領域ＤＣＣ６もしくは最大伝送レートＤＣＣ７に続き、コンポーネント制御長ＤＣＣ８、コンポーネント識別子ＤＣＣ９、コピー制御情報ＤＣＣ１０、最大伝送レートフラグＤＣＣ１１、予約領域ＤＣＣ１２を有する。最大伝送レートフラグＤＣＣ１１が１の場合には、予約領域ＤＣＣ１２に続き、最大伝送レートＤＣＣ１３を有する。予約領域ＤＣＣ１２もしくは最大伝送レートＤＣＣ１３に続き、コンポーネント識別子ＤＣＣ９乃至予約領域ＤＣＣ１２もしくは最大伝送レートＤＣＣ１３がコンポーネント制御長ＤＣＣ８で定められた長さまで繰り返される。それぞれの領域の値については、繰り返し中、変わることがある。第１コピー制御情報検出手段１０３Ａは、コピー制御情報ＤＣＣ３、及び、存在すればコピー制御情報ＤＣＣ１０を当該デジタルコピー制御記述子が有する分だけ制御手段１１１に通知する。図４は該デジタル放送データからコピー制御情報ＤＣＣ３及びＤＣＣ１０を探し出すフローを図示したものである。
【００２０】
まず、Ｆ００１で、前記ＰＭＴ、前記ＳＤＴ、もしくは前記ＥＩＴの先頭サーチを行う。これらは後述のＰＩＤ（Ｐａｃｋｅｔ ＩＤｅｎｔｉｆｉｅｒ）データで識別可能であり、ＰＩＤデータをサーチすることで検出が可能である。その後Ｆ００２でディスクリプタ識別子ＤＣＣ１を読み出し、Ｆ００３でＤＣＣ１の値がデジタルコピー制御識別子の値（例えば０ｘＣ１）かどうか判別する。デジタルコピー制御記述子の値でなければ、Ｆ００４で他の記述子の処理を行い、次の前記ＰＭＴ、前記ＳＤＴ、もしくは前記ＥＩＴの先頭サーチもしくはディスクリプタ識別子ＤＣＣ１のサーチを行う。Ｆ００３でＤＣＣ１の値がデジタルコピー制御識別子の値であれば、Ｆ００５でディスクリプタ長ＤＣＣ２を読み出し、Ｆ００６でコピー制御情報ＤＣＣ３を読み出し、Ｆ００７で最大伝送レートフラグＤＣＣ４を読み出し、その値を保持する。その後Ｆ００８でコンポーネント制御フラグＤＣＣ５を読み出し、その値を保持する。その後、Ｆ００９で予約領域ＤＣＣ６を読み出し、Ｆ０１０にてＦ００７で保持したＤＣＣ４の値が１かどうか判別し、１であればＦ０１１で最大伝送レートＤＣＣ７を読み出し、Ｆ０１０にてＤＣＣ４の値が０だった場合、もしくはＦ０１１の次の処理ではＦ０１２でＤＣＣ５の値が１かどうか判別し、０であれば次の前記ＰＭＴ、前記ＳＤＴ、もしくは前記ＥＩＴの先頭サーチもしくはディスクリプタ識別子ＤＣＣ１のサーチを行い、１であればＦ０１３でコンポーネント制御長ＤＣＣ８を読み出し、コンポーネント制御長カウンタをＤＣＣ８の値とする。コンポーネントとはコンテンツを構成する要素であり、例えば映像、音声、文字などである。コンポーネント制御長カウンタは、デジタルコピー制御識別子の末尾を判定するために使用する内部カウンタである。その後、Ｆ０１４でコンポーネント識別子ＤＣＣ９を読み出し、コンポーネント制御長カウンタをコンポーネント識別子ＤＣＣ９のビット数だけ減算して更新する。その後Ｆ０１５でコピー制御情報ＤＣＣ１０を読み出し、コンポーネント制御長カウンタをコピー制御情報ＤＣＣ１０のビット数だけ減算して更新する。また、コピー制御情報ＤＣＣ１０を保持する。ここで、Ｆ０１４乃至Ｆ０１８またはＦ０１４乃至Ｆ０１９の処理はコンポーネントの数だけ繰り返されるので、Ｆ０１５でのコピー制御情報ＤＣＣ１０を読み出す処理もコンポーネントの数だけ行い、全てのコンポーネントについてコピー制御情報ＤＣＣ１０を保持する。Ｆ０１５の処理の後Ｆ０１６で最大伝送レートフラグＤＣＣ１１を読み出し、コンポーネント制御長カウンタを最大伝送レートフラグＤＣＣ１１のビット数だけ減算して更新し、最大伝送レートフラグＤＣＣ１１の値を保持する。最大伝送レートフラグＤＣＣ１１の値は、当該コンポーネントの分のみ保持すればよい。その後、Ｆ０１７で予約領域ＤＣＣ１２を読み出し、コンポーネント制御長カウンタを予約領域ＤＣＣ１２のビット数だけ減算して更新し、Ｆ０１８ではＦ０１６で保持していた最大伝送レートフラグＤＣＣ１１の値が１かどうか判別する。１であればＦ０１９で最大伝送レートＤＣＣ１３を読み出し、コンポーネント制御長カウンタを最大伝送レートＤＣＣ１３のビット長だけ��算して更新し、Ｆ０１８で０だった場合、もしくはＦ０１９の次の処理ではＦ０２０でコンポーネント制御長カウンタが０かどうか判別する。０でなければ、前記Ｆ０１４に戻りＦ０１４乃至Ｆ０１８またはＦ０１４乃至Ｆ０１９の処理を再び行い、０であればＦ０２１でコピー制御情報ＤＣＣ３、及び保持していればコピー制御情報ＤＣＣ１０を制御手段１１１に通知し、次の前記ＰＭＴ、前記ＳＤＴ、もしくは前記ＥＩＴの先頭サーチを行う。以下本実施例では、コピー制御情報ＤＣＣ３及び存在すればコピー制御情報ＤＣＣ１０をまとめてコピー制御データと呼ぶ。なお、コピー制御データの制御手段１１１への通知は、一時記憶手段１０２を経由して行っても良い。ＤＥＭＵＸ手段１０４は一時記憶手段１０２のデジタル放送データ記憶領域１０２１に放送受信手段１０１から逐次書き込みされている前記デジタル放送データが、制御手段１１１があらかじめ設定した量を超えて蓄積されたら一時記憶手段１０２のデジタル放送データ記憶領域１０２１から読み出しを行い、該デジタル放送データを、映像圧縮データ、音声圧縮データ、及び制御データに振り分け、該映像圧縮データを一時記憶手段１０２の映像圧縮データ記憶領域１０２２に、また該音声圧縮データを一時記憶手段１０２の音声圧縮データ記憶領域１０２３に書き込み、該制御データのうち、デコードなどに必要な情報を制御手段１１１に出力する。また該制御データの全部または一部を一時記憶手段１０２の制御データ記憶領域１０２４に書き込み、制御手段１１１が該制御データの全部または一部を読み出しても良い。ＤＥＭＵＸ手段１０４は該デジタル放送データを映像圧縮データ、音声圧縮データ、制御データに振り分けるときにデジタル放送データに含まれるＰＩＤデータを用いて映像圧縮データ、音声圧縮データ、及び制御データを判別する。図５はＩＳＯ／ＩＥＣ１３８１８−１規格のＴｒａｎｓｐｏｒｔ Ｓｔｒｅａｍ Ｐａｃｋｅｔ Ｌａｙｅｒにおけるｔｒａｎｓｐｏｒｔ＿ｐａｃｋｅｔのデータ構成を図示したものであり、ｔｒａｎｓｐｏｒｔ＿ｐａｃｋｅｔはｓｙｎｃ＿ｂｙｔｅ（ＴＳＰ１）、ｔｒａｎｓｐｏｒｔ＿ｅｒｒｏｒ＿ｉｎｄｉｃａｔｏｒ（ＴＳＰ２）、ｐａｙｌｏａｄ＿ｕｎｉｔ＿ｓｔａｒｔ＿ｉｎｄｉｃａｔｏｒ（ＴＳＰ３）、ｔｒａｎｓｐｏｒｔ＿ｐｒｉｏｒｉｔｙ（ＴＳＰ４）、ＰＩＤ（ＴＳＰ５）、ｔｒａｎｓｐｏｒｔ＿ｓｃｒａｍｂｌｉｎｇ＿ｃｏｎｔｒｏｌ（ＴＳＰ６）、ａｄａｐｔａｔｉｏｎ＿ｆｉｅｌｄ＿ｃｏｎｔｒｏｌ（ＴＳＰ７）、ｃｏｎｔｉｎｕｉｔｙ＿ｃｏｕｎｔｅｒ（ＴＳＰ８）及びｄａｔａ（ＴＳＰ９）を有する。ｓｙｎｃ＿ｂｙｔｅ（ＴＳＰ１）は規定された８ｂｉｔのデータパターンであり、ｔｒａｎｓｐｏｒｔ＿ｅｒｒｏｒ＿ｉｎｄｉｃａｔｏｒ（ＴＳＰ２）は当該ｔｒａｎｓｐｏｒｔ＿ｐａｃｋｅｔに少なくとも１ｂｉｔのエラーがあるかどうかを示すフラグであり、ｐａｙｌｏａｄ＿ｕｎｉｔ＿ｓｔａｒｔ＿ｉｎｄｉｃａｔｏｒ（ＴＳＰ３）は当該ｔｒａｎｓｐｏｒｔ＿ｐａｃｋｅｔがＰＥＳパケットもしくはＰＳＩデータを含んでいるかどうかを示すフラグであり、ｔｒａｎｓｐｏｒｔ＿ｐｒｉｏｒｉｔｙ（ＴＳＰ４）は同じＰＩＤ（ＴＳＰ５）値を持つパケットの中で優先��の高いパケットかどうかを示すフラグであり、ＰＩＤ（ＴＳＰ５）は当該パケットのデータの種別を示すデータであり、その値によって映像圧縮データ、音声圧縮データ、制御データを判別できる。ＰＩＤ（ＴＳＰ５）の値とデータの種別の関係は、当該パケットを受信するより前に受信した前記デジタル放送データに含まれる番組関連情報で定められる。ｔｒａｎｓｐｏｒｔ＿ｓｃｒａｍｂｌｉｎｇ＿ｃｏｎｔｒｏｌ（ＴＳＰ６）はｔｒａｎｓｐｏｒｔ＿ｐａｃｋｅｔの特定のデータのスクランブリング・モードを示すデータであり、ａｄａｐｔａｔｉｏｎ＿ｆｉｅｌｄ＿ｃｏｎｔｒｏｌ（ＴＳＰ７）はｄａｔａ（ＴＳＰ９）のなかにａｄａｐｔａｔｉｏｎ＿ｆｉｅｌｄデータがどのように含まれているかどうかを示すデータであり、ｃｏｎｔｉｎｕｉｔｙ＿ｃｏｕｎｔｅｒ（ＴＳＰ８）は同じＰＩＤ（ＴＳＰ５）を持つｔｒａｎｓｐｏｒｔ＿ｐａｃｋｅｔのシリアルナンバを示すデータであり、ｄａｔａ（ＴＳＰ９）は映像圧縮データ、音声圧縮データ、もしくは制御データの本体データである。ＤＥＭＵＸ手段１０４が一時記憶手段１０２の映像圧縮データ記憶領域１０２２に書き込んだ映像圧縮データが制御手段１１１があらかじめ設定した量を超えて蓄積されたら映像デコード手段１０５が読み出し、ＭＰＥＧ２の伸張処理を行い、映像データを生成し、一時記憶手段１０２の映像データ記憶領域１０２５に書き込む。また、ＤＥＭＵＸ手段１０４が一時記憶手段１０２の音声圧縮データ記憶領域１０２３に書き込んだ音声圧縮データが制御手段１１１があらかじめ設定した量を超えて蓄積されたら音声デコード手段１０６が読み出し、ＭＰＥＧ２ ＡＡＣ（Ａｄｖａｎｃｅｄ Ａｕｄｉｏ Ｃｏｄｉｎｇ）やＡＣ３（Ａｕｄｉｏ Ｃｏｄｅ ｎｕｍｂｅｒ ３）などの伸張処理を行い、音声データを生成し、一時記憶手段１０２の音声データ記憶領域１０２６に書き込む。一時記憶手段１０２の映像データ記憶領域１０２５に書き込まれた映像データは、映像出力手段２での映像表示に支障が出ない所定のタイミングで映像再生手段１０７が読み出し、映像信号に変換して映像出力手段２に出力する。また、一時記憶手段１０２の音声データ記憶領域１０２６に書き込まれた音声データは、音声出力手段１での音声出力と映像出力手段２での映像出力が一定時間以上ずれない所定のタイミングで音声再生手段１０８が読み出し、音声信号に変換して音声出力手段３に出力する。
【００２１】
次に、ユーザがリモコンなどで録画開始指示を出してからコンテンツ記録・再生装置が録画動作を開始し、ユーザが録画終了指示を出してコンテンツ記録・再生装置が第１記録手段１０９への録画動作を終了するまでの動作を説明する。図６はＴＶ放送波で送信されるコンテンツのデジタルコピー許可状態と、コンテンツ記録・再生装置の録画状態の関係の例を示したものであり、ユーザがリモコンなどで録画開始指示を出した時点では制約条件無しにコピー可能のコンテンツが放送波で送信されており、コンテンツ記録・再生装置が録画を開始してから、放送波では制約条件無しにコピー可能、時刻Ａからは１世代のみコピー可能、時刻Ｂからはコピー禁止、時刻Ｃからは制約条件無しにコピー可能、時刻Ｄからは１世代のみコピー可能の順でコンテンツが送信され、時刻Ｄからの１世代のみコピー可能のコンテンツが送信されているところでユーザが録画終了指示を出し、コンテンツ記録・再生装置が録画動作を停止した流れを示している。なお、ユーザがリモコンなどで録画開始指示を出した時点では、それ以前のデジタル放送データにより、第１コピー制御情報検出手段１０３Ａから、制約条件無しにコピー可能のコピー制御データが制御手段１１１に通知されているものとする。また、本実施例では、コンテンツはコピー制御情報の制限レベルに関わらず、暗号化されて放送されているものとする。本実施例におけるコンテンツ記録・再生装置は、Ｓｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎに準拠し、かつＡｄｖａｎｃｅｄ  Ａｃｃｅｓｓ Ｃｏｎｔｅｎｔ  Ｓｙｓｔｅｍ（ＡＡＣＳ）に準拠するディレクトリ及びファイル構成で第１記録手段１０９にコンテンツを記録するものとするが、コンテンツである映像や音声のストリームを記録し、コンテンツのコピー制御情報をファイルとして記録するディレクトリ及びファイル構成であれば、この限りではない。本実施例におけるディレクトリ及びファイル構成を図７に示す。なお、本実施例ではＳｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎに準拠したＢＤＡＶ形式のディレクトリ・ファイル構成について示しているが、図７ではこれらの規格に必須であるディレクトリ、及びファイルであっても、本実施例における動作に直接的に関与しないディレクトリ及びファイルについては省略した。ｒｏｏｔディレクトリＤ０１は第１記録手段１０９の記録メディアにおける最上位ディレクトリでありＡＡＣＳディレクトリＤ０２とＢＤＡＶディレクトリＤ０４を有する。ＡＡＣＳディレクトリＤ０２はデジタルコピー制御に関する情報や暗号化されたコンテンツの復号に関する情報を格納するディレクトリであり、ＡＡＣＳ＿ａｖディレクトリＤ０３を有する。ＡＡＣＳ＿ａｖディレクトリＤ０３はＵｎｉｔ＿Ｋｅｙ＿ＲＷ．ｉｎｆファイルＦ０１とＣＰＳＵｎｉｔｘｘｘｘｘ．ｃｃｉファイルＦ０２を有するディレクトリであり、ＣＰＳＵｎｉｔｘｘｘｘｘ．ｃｃｉファイルＦ０２はデジタルコピー制���に関する情報を有するファイルで、ＣＰＳ Ｕｎｉｔ Ｕｓａｇｅ Ｆｉｌｅと呼ばれる。ここで、ｘｘｘｘｘは５桁の１０進数であり、ＣＰＳ Ｕｎｉｔの識別番号であるＣＰＳ Ｕｎｉｔ Ｎｕｍｂｅｒを示す。ＣＰＳ Ｕｎｉｔとは、ＣＰＳＵｎｉｔｘｘｘｘｘ．ｃｃｉファイルＦ０２と１対１で対応する、ＡＡＣＳで暗号化された映像・音声ファイルと映像・音声情報ファイルの対である。ＣＰＳＵｎｉｔｘｘｘｘｘ．ｃｃｉファイルＦ０２は、ｘｘｘｘｘが異なる５桁の１０進数であれば、複数ファイル存在しても良い。前記ＢＤＡＶディレクトリＤ０４はＰＬＡＹＬＩＳＴディレクトリＤ０５、ＣＬＩＰＩＮＦディレクトリＤ０６、ＳＴＲＥＡＭディレクトリＤ０７を有し、ＰＬＡＹＬＩＳＴディレクトリＤ０５はストリームの再生順番情報を格納したｙｙｙｙｙ．ｒｐｌｓファイルＦ０２を有し、ＣＬＩＰＩＮＦディレクトリＤ０６は前記映像・音声情報ファイルであるｚｚｚｚｚ．ｃｌｐｉファイルＦ０３を有し、ＳＴＲＥＡＭディレクトリＤ０７は前記映像・音声ファイルであるｚｚｚｚｚ．ｍ２ｔｓファイルＦ０５を有する。ここで、ｙｙｙｙｙ、及びｚｚｚｚｚは５桁の１０進数を示している。ｙｙｙｙｙ．ｒｐｌｓファイルＦ０２はｙｙｙｙｙが異なる５桁の１０進数であれば複数ファイル存在しても良い。同様にｚｚｚｚｚ．ｃｌｐｉファイルＦ０３及びｚｚｚｚｚ．ｍ２ｔｓファイルＦ０５はｚｚｚｚｚが異なる５桁の１０進数であれば、複数ファイル存在しても良い。ＣＰＳＵｎｉｔｘｘｘｘｘ．ｃｃｉファイルＦ０２のデータ構成を図８に示す。ＣＰＳＵｎｉｔｘｘｘｘｘ．ｃｃｉファイルＦ０２はＮｕｍｂｅｒ＿ｏｆ＿Ｐｒｉｍａｒｙ＿ＣＣＩ＿ｌｏｏｐｓ領域ＣＣＩ０１、ｒｅｓｅｒｖｅｄ領域ＣＣＩ０２、ＣＣＩ＿ａｎｄ＿ｏｔｈｅｒ＿ｉｎｆｏ領域ＣＣＩ０３、ｒｅｓｅｒｖｅｄ領域ＣＣＩ０４を有する。また、場合により、加えてＮｕｍｂｅｒ＿ｏｆ＿Ｓｅｃｏｎｄａｒｙ＿ＣＣＩ＿ｌｏｏｐｓ領域ＣＣＩ０５、ｒｅｓｅｒｖｅｄ領域ＣＣＩ０６、ＣＣＩ＿ａｎｄ＿ｏｔｈｅｒ＿ｉｎｆｏ領域ＣＣＩ０７、及びｒｅｓｅｒｖｅｄ領域ＣＣＩ０８を有する。このうち、ＣＣＩ＿ａｎｄ＿ｏｔｈｅｒ＿ｉｎｆｏ領域ＣＣＩ０３、及びＣＣＩ＿ａｎｄ＿ｏｔｈｅｒ＿ｉｎｆｏ領域ＣＣＩ０７は、ＣＰＳ Ｕｎｉｔに関する情報を格納する領域であり、該ＣＰＳ Ｕｎｉｔに関する情報のひとつにＣＣＩ Ｓｅｑｕｅｎｃｅ Ｉｎｆｏｒｍａｔｉｏｎがある。該ＣＣＩ Ｓｅｑｕｅｎｃｅ Ｉｎｆｏｒｍａｔｉｏｎのデータ構成を図９に示す。ＣＣＩ Ｓｅｑｕｅｎｃｅ ＩｎｆｏｒｍａｔｉｏｎはＣＣＩ＿ａｎｄ＿ｏｔｈｅｒ＿ｔｙｐｅ領域ＣＣＩ０３０１、ＣＣＩ＿ａｎｄ＿ｏｔｈｅｒ＿ｉｎｆｏ＿ｖｅｒｓｉｏｎ領域ＣＣＩ０３０２、ＣＣＩ＿ａｎｄ＿ｏｔｈｅｒ＿ｉｎｆｏ＿ｄａｔａ＿ｌｅｎｇｔｈ領域ＣＣＩ０３０３、ｒｅｓｅｒｖｅｄ領域ＣＣＩ０３０４、Ｎｕｍｂｅｒ＿ｏｆ＿ＣＣＩ＿Ｓｅｑｕｅｎｃｅ領域ＣＣＩ０３０５、ｒｅｓｅｒｖｅｄ領域ＣＣＩ０３０６、Ｓｔａｒｔ＿ＳＰＮ＿ｆｏｒ＿ＣＣＩ＿Ｓｅｑｕｅｎｃｅ領域ＣＣＩ０３０７、ｒｅｓｅｒｖｅｄ領域ＣＣＩ０３０８、ＥＰＮ領域ＣＣＩ０３０９、ＣＣＩ領域ＣＣＩ０３１０、ｒｅｓｅｒｖｅｄ領域ＣＣＩ０３１１、Ｔｒｕｓｔｅｄ＿���ｎｐｕｔ領域ＣＣＩ０３１２、Ｉｍａｇｅ＿Ｃｏｎｓｔｒａｉｎｔ＿Ｔｏｋｅｎ領域ＣＣＩ０３１３、Ｄｉｇｉｔａｌ＿Ｏｎｌｙ＿Ｔｏｋｅｎ領域ＣＣＩ０３１４、ＡＰＳ領域ＣＣＩ０３１５、及びｒｅｓｅｒｖｅｄ領域ＣＣＩ０３１６を有する。ｒｅｓｅｒｖｅｄ領域ＣＣＩ０３０６乃至ｒｅｓｅｒｖｅｄ領域ＣＣＩ０３１６はＮｕｍｂｅｒ＿ｏｆ＿ＣＣＩ＿Ｓｅｑｕｅｎｃｅ領域ＣＣＩ０３０５の値の回数だけ繰り返される。
【００２２】
ＣＣＩ領域ＣＣＩ０３１０は、少なくとも「コピー制限無し」、もしくは「更なるコピー禁止」を区別するコピー制御情報である。ＡＡＣＳの規格においては、コピー制御情報が１つのＣＰＵ Ｕｎｉｔのシーケンス内で切り替わる場合、（切り替わる回数＋１）の値がＮｕｍｂｅｒ＿ｏｆ＿ＣＣＩ＿Ｓｅｑｕｅｎｃｅ領域ＣＣＩ０３０５の値となり、その都度ＣＣＩ領域ＣＣＩ０３１０の値がｒｅｓｅｒｖｅｄ領域ＣＣＩ０３０６乃至ｒｅｓｅｒｖｅｄ領域ＣＣＩ０３１６の繰り返し毎に変わる。
【００２３】
ユーザがリモコンなどで録画開始を指示したら、リモコンからＩｒＤＡ（Ｉｎｆｒａｒｅｄ Ｄａｔａ Ａｓｓｏｃｉａｔｉｏｎ）やＢｌｕｅｔｏｏｔｈなどの無線通信で録画開始指示信号を出力し、ユーザインタフェース手段１１２で録画開始指示信号を受信する。ユーザインタフェース手段１１２は録画開始指示信号を受信したら、制御手段１１１に録画開始指示信号を受信したことを通知し、制御手段１１１は第１記録手段１０９のＨＤＤドライブに図７のディレクトリおよびファイル構成で記録するため、デジタル放送データを記録するための前準備として必要なデータを一時記憶手段１０２の記録データ記憶領域１０２７に書き込み、第１記録手段１０９に対して一時記憶手段１０２の記録データ記憶領域１０２７のデータをＨＤＤに書き込むよう指示する。なお、ディレクトリ構成情報や規格上決まったファイル情報など、録画開始指示信号を受信する前でも、データを生成し書き込むことが可能な情報は、コンテンツ記録・再生装置の電源投入時や再生時などに制御手段があらかじめ一時記憶手段１０２の記録データ記憶領域１０２７に書き込み、第１記録手段１０９に対して一時記憶手段１０２の記録データ記憶領域１０２７のデータをＨＤＤに書き込むよう指示し、第１記録手段１０９に書き込んでおいても良い。また、制御手段１１１はユーザインタフェース手段１１２から録画開始指示信号を受信したことの通知を受け取ったら、放送受信手段１０１から一時記憶手段１０２のデジタル放送データ記憶領域１０２１に書き込まれているときの書き込みアドレスを保持しておく。第１記録手段１０９にデジタル放送データを記録する準備ができたら、制御手段１１１は、すでに第１コピー制御情報検出手段１０３Ａから通知されているコピー制御データから現在受信しているデジタル放送データがコピー可能かどうか判断する。図６より、録画開始時点では制約条件無しにコピー可能なコンテンツのデジタル放送データを受信しており、第１コピー制御情報検出手段１０３Ａからは制約条件無しにコピー可能のコピー制御データが制御手段１１１に通知されているので、制御手段１１１は第２コピー制御情報検出手段１０３Ｂに一時記憶手段１０２のデジタル放送データ記憶領域１０２１からデジタル放送データを読み出すよう指示する。ここで制御手段１１１は保持していた放送受信手段１０１が一時記憶手段１０２のデジタル放送データ記憶領域１０２１に書き込んでいたときの書き込みアドレスを第２コピー制御情報検出手段１０３Ｂに通知し、第２コピー制御情報検出手段１０３Ｂは通知された書き込みアドレスの位置からデジタル放送データを読み出す。第２コピー制御情報検出手段１０３Ｂは読み出したデジタル放送データのうち、映像圧縮データ及び音声圧縮データを一時記憶手段１０２の記録データ記憶領域１０２７に記録し、制御データの中で、図７のディレクトリおよびファイルを作成するために必要な情報、少なくともコピー制御データを探索し、検出したらコピー制御データ及びその時点での一時記憶手段１０２の記録データ記憶領域１０２７への書き込みアドレスを制御手段１１１に通知する。コピー制御データの検出処理は、第１コピー制御情報検出手段１０３Ａと同様である。制御���段１１１は第２コピー制御情報検出手段１０３Ｂから通知されたコピー制御データと、その通知以前のコピー制御データ（録画開始指示直後であれば、第１コピー制御情報検出手段１０３Ａから通知されていたコピー制御データであり、それ以外であれば、その通知以前で最近の第２コピー制御情報検出手段１０３Ｂから通知されていたコピー制御データ）と比較し、同じコピー制御データであれば第２コピー制御情報検出手段１０３Ｂの前記動作を引き続き行わせる。なお、この比較においては、コピー制御データのうちコンポーネントごとのコピー制御情報（図３のコピー制御情報ＤＣＣ１０）が存在する場合にはその比較も行う。検出したコピー制御データが１世代のみコピー可能を示していれば、ＣＣＩ Ｓｅｑｕｅｎｃｅ ＩｎｆｏｒｍａｔｉｏｎのＣＣＩ領域ＣＣＩ０３１０が「更なるコピー禁止」を示すＣＰＳＵｎｉｔｘｘｘｘｘ．ｃｃｉファイルＦ０２を作成して一時記憶手段１０２の記録データ記憶領域１０２７に書き込み、第１記録手段１０９に該ＣＰＳＵｎｉｔｘｘｘｘｘ．ｃｃｉファイルＦ０２を記録するよう指示する。また制御手段１１１はＳＴＲＥＡＭディレクトリＤ０７の下に配置する映像・音声ファイルが新たなファイルとなるように第１記録手段１０９を制御し、第２コピー制御情報検出手段１０３Ｂが一時記憶手段１０２の記録データ記憶領域１０２７に書き込んだ映像圧縮データ及び音声圧縮データをＨＤＤに記録させる。また、制御手段１１１はＣＬＩＰＩＮＦディレクトリＤ０６の下に配置する映像・音声情報ファイルを新たに作成し、一時記憶手段１０２の記録データ記憶領域１０２７に書き込み、第１記録手段１０９に該映像・音声情報ファイルを記録するよう制御する。また、第２コピー制御情報検出手段１０３Ｂから通知されたコピー制御データが「コピー禁止」を示していれば、制御手段１１１は第２コピー制御情報検出手段１０３Ｂに、映像圧縮データ及び音声圧縮データの一時記憶手段１０２の記録データ記憶手段１０２７への書き込みを停止するよう指示する。図６の例では、時刻Ａでは制約条件無しにコピー可能のコンテンツから１世代のみコピー可能のコンテンツに切り替わっているため、時刻Ａ以降は新たな別の映像・音声ファイルとして前記の手順で第１記録手段１０９のＨＤＤに記録し、映像・音声情報ファイルも前記の手順で新たなファイルとして第１記録手段１０９のＨＤＤに記録し、ＣＣＩ Ｓｅｑｕｅｎｃｅ ＩｎｆｏｒｍａｔｉｏｎのＣＣＩ領域ＣＣＩ０３１０が「更なるコピー禁止」を示すＣＰＳＵｎｉｔｘｘｘｘｘ．ｃｃｉファイルＦ０２を前記の手順で新たに第１記録手段１０９のＨＤＤに記録する。その後、時刻Ｂにおいては、１世代のみコピー可能のコンテンツからコピー禁止のコンテンツに切り替わっているため、時刻Ｂ以降は映像・音声ファイルの一時記憶手段１０２の記録データ記憶領域１０２７への書き込みを停止し、新たなＣＰＳＵｎｉｔｘｘｘｘｘ．ｃｃｉファイルＦ０２と新たな映像・音声情報ファイルの作成は行わない。その後、時刻Ｃにおいては、コピー禁止のコンテンツから制約条件無しにコピー可能のコンテンツに切り替わっているため、時刻Ｃ以降は再び映像・音声ファイルを前記の手順で第１記録手段１０９のＨＤＤに記録して新たな映像・音声ファイルを作成し、映像・音声情報ファイルも前記の手順で新たなファイルとして第１記録手段１０９のＨＤＤに記録し、ＣＣＩ Ｓｅｑｕｅｎｃｅ ＩｎｆｏｒｍａｔｉｏｎのＣＣＩ領域ＣＣＩ０３１０が「コピー制限無し」を示すＣＰＳＵｎｉｔｘｘｘｘｘ．ｃｃｉファイルＦ０２を前記の手順で新たに第１記録手段１０９のＨＤＤに記録する。その後、時刻Ｄにおいては、制約条件無しにコピー可能のコンテンツから１世代のみコピー可能のコンテンツに切り替わっているため、時刻Ｄ以降は新たな映像・音声ファイルを前記の手順で第１記録手段１０９のＨＤＤに記録して新たな映像・音声ファイルを作成し、映像・音声情報ファイルも前記の手順で新たなファイルとして第１記録手段１０９のＨＤＤに記録し、ＣＣＩ Ｓｅｑｕｅｎｃｅ ＩｎｆｏｒｍａｔｉｏｎのＣＣＩ領域ＣＣＩ０３１０が「更なるコピー禁止」を示すＣＰＳＵｎｉｔｘｘｘｘｘ．ｃｃｉファイルＦ０２を前記の手順で新たに第１記録手段１０９のＨＤＤに記録する。その後、ユーザがリモコンなどで録画終了を指示したら、録画開始の場合と同様にリモコンから録画終了指示信号を出力し、ユーザインタフェース手段１１２で録画終了指示信号を受信する。ユーザインタフェース手段１１２は録画終了指示信号を受信したら、制御手段１１１に録画終了指示信号を受信したことを通知し、制御手段１１１は該通知を受信したら放送受信手段１０１から一時記憶手段１０２のデジタル放送データ記憶領域１０２１に書き込まれているときの書き込みアドレスを保持しておく。制御手段は該書き込みアドレスを第２コピー制御情報検出手段１０３Ｂに通知し、第２コピー制御情報検出手段１０３Ｂは一時記憶手段１０２のデジタル放送データ記憶領域１０２１からのデジタル放送データの読み出しが該書き込みアドレスに到達したら、映像圧縮データ及び音声圧縮データの一時記憶手段１０２の記録データ記憶手段１０２７への書き込みを停止する。また制御手段１１１は、第２コピー制御情報検出手段１０３Ｂが一時記憶手段１０２の記録データ記憶手段１０２７への書き込みを停止したら、第１記録手段１０９に一時記憶手段１０２の記録データ記憶手段１０２７の映像圧縮データ及び音声圧縮データを全て書き込むまで書き込みを指示し、映像圧縮データ及び音声圧縮データが枯渇したら書き込みを停止させる。以上の動作において、コンポーネント毎にコピー制御情報のレベルが異なる場合は、それぞれのコピー制御情報に基づき、コンポーネント毎に「コピー制限無し」、「更なるコピー禁止」の区別、及び記録の可否判断を行う。
【００２４】
以上の動作により、第１記録手段１０９のＨＤＤには例えば図１０のディレクトリ及びファイル構成で記録がなされる。つまり、ＳＴＲＥＡＭディレクトリの下に生成する映像・音声ファイルの数は４ファイルで、ＣＬＩＰＩＮＦディレクトリの下に生成する映像・音声情報ファイルの数もそれに応じて４ファイルであり、ＡＡＣＳ＿ａｖディレクトリの下に生成するＣＰＳ Ｕｎｉｔ Ｕｓａｇｅ Ｆｉｌｅの数も映像・音声ファイルの数に応じて４ファイル生成する。また、ＣＰＳ Ｕｎｉｔ Ｕｓａｇｅ ＦｉｌｅのＣＣＩ Ｓｅｑｕｅｎｃｅ Ｉｎｆｏｒｍａｔｉｏｎについては、コピー制御情報が変わるたびに新たにＣＰＳ Ｕｎｉｔ Ｕｓａｇｅ Ｆｉｌｅを生成するので、Ｎｕｍｂｅｒ＿ｏｆ＿ＣＣＩ＿Ｓｅｑｕｅｎｃｅの値は１となる。
【００２５】
次に、第１記録手段１０９のＨＤＤに記録したコンテンツを、第２記録手段１１０のＢＤ−ＲまたはＢＤ−ＲＥ（以下、ＢＤ）にダビングする場合のコンテンツ記録・再生装置の動作について説明する。なお、前記にて記録を行ったコンテンツについて、録画開始から時刻Ａまでのものを第１ストリーム、時刻Ａから時刻Ｂまでのものを第２ストリーム、時刻Ｃから時刻Ｄまでのものを第３ストリーム、時刻Ｄから録画停止までのものを第４ストリームと以下では呼ぶ。また、第１記録手段１０９のＨＤＤに記録されているコンテンツは前記にて記録した、図１０のディレクトリ及びファイル構成であるものとし、ユーザはダビング開始指示前に、ダビング対象のプレイリストを選択し、コンテンツ記録・再生装置にリモコンなどで指示しているものとする。本実施例では図１０の００００１．ｒｐｌｓのプレイリストを選択しているものとする。
【００２６】
ユーザがリモコンなどでダビング開始を指示したら、録画開始時と同様にリモコンからダビング開始指示信号を出力し、ユーザインタフェース手段１１２でダビング開始指示信号を受信する。ユーザインタフェース手段１１２はダビング開始指示信号を受信したら、制御手段１１１にダビング開始指示信号を受信したことを通知し、制御手段１１１は該通知を受けたら、第１記録手段１０９にＨＤＤに記録されているデータを、コピー制御情報が更なるコピー禁止を示しているコンテンツ以外を一時記憶手段１０２の記録データ記憶領域１０２７に書き込むよう制御する。このとき、制御手段１１１はまずプレイリスト００００１．ｒｐｌｓを第１記録手段１０９を制御してＨＤＤから一時記憶手段１０２の記録データ記憶領域１０２７に書き込み、プレイリスト００００１．ｒｐｌｓに含まれている再生コンテンツリストを読み出す。再生コンテンツリストには、映像・音声情報ファイル００００１．ｃｌｐｉ、００００２．ｃｌｐｉ、００００３．ｃｌｐｉ、及び００００４．ｃｌｐｉが指定されている。ここで、ＣＰＳ Ｕｎｉｔと各映像・音声情報ファイルは１対１で対応しており、本実施例では１つのＣＰＳ Ｕｎｉｔに対し１ファイルのＣＰＳ Ｕｎｉｔ Ｕｓａｇｅ Ｆｉｌｅが対応しているので、制御手段１１１は第１記録手段１０９を制御し、ＨＤＤに記録してあるＣＰＳＵｎｉｔ００００１．ｃｃｉ、ＣＰＳＵｎｉｔ００００２．ｃｃｉ、ＣＰＳＵｎｉｔ００００３．ｃｃｉ、ＣＰＳＵｎｉｔ００００４．ｃｃｉを一時記憶手段１０２の記録データ記憶領域１０２７に書き込み、各Ｕｎｉｔ Ｕｓａｇｅ ＦｉｌｅのＣＣＩ Ｓｅｑｕｅｎｃｅ ＩｎｆｏｒｍａｔｉｏｎのＣＣＩ領域ＣＣＩ０３１０を読み出し、コピー制御情報を判別する。本実施例においては、第２ストリームと第４ストリームのコピー制御情報がコピー禁止、第１ストリームと第３ストリームがコピー制限無しのコンテンツとなっている。したがって、制御手段１１１は、第１記録手段１０９から第２ストリームのＣＰＳ Ｕｎｉｔ Ｕｓａｇｅ ＦｉｌｅであるＣＰＳＵｎｉｔ００００２．ｃｃｉ、第４ストリームのＣＰＳ Ｕｎｉｔ Ｕｓａｇｅ ＦｉｌｅであるＣＰＳＵｎｉｔ００００４．ｃｃｉ、第２ストリームの映像・音声情報ファイルである００００２．ｃｌｐｉ、第４ストリームの映像・音声情報ファイルである００００４．ｃｌｐｉ、第２ストリームの映像・音声ファイルである００００２．ｍ２ｔｓ、第４ストリームの映像・音声ファイルである００００４．ｍ２ｔｓを除く図１０のディレクトリ及びファイル構成であって、なおかつ他のファイルは第２ストリーム及び第４ストリームに関する情報を削除してファイルを再生成したデータにして一時記録手段１０２の記録データ記憶領域１０２７に書き込み、第２記録手段１１０に記録データ記憶手段１０２７内のデータをＢＤに書き込むよう指示する。図１１は、ダビング後の第２記録手段１１０のＢＤに記録しているデータのディレクトリ及びファイル構成の例を示したものである。図１１において、ＣＰＳ Ｕｎｉｔ Ｕｓａｇｅ Ｆｉｌｅのファイル名、プレイリストのファイル名、映像・音声情報ファイルのファイル名、及び映像・音声ファイル名につけられる５桁の１０進数の値はこの限りではない。図１１中、※印が付いたファイルは、最低限第２ストリーム及び第４ストリームに関する情報を削除して再生成する必要があるファイルである。
【００２７】
次に、第１記録手段１０９のＨＤＤに記録したコンテンツの再生動作について説明する。なお、ユーザはＨＤＤに記録したコンテンツの再生開始指示前に、再生対象のプレイリスト（本実施例では図１０の００００１．ｒｐｌｓとする）を選択し、コンテンツ記録・再生装置にリモコンなどで指示しているものとする。
ユーザがリモコンなどで再生開始を指示したら、リモコンからＩｒＤＡ（Ｉｎｆｒａｒｅｄ Ｄａｔａ Ａｓｓｏｃｉａｔｉｏｎ）やＢｌｕｅｔｏｏｔｈなどの無線通信で再生開始指示信号を出力し、ユーザインタフェース手段１１２で再生開始指示信号を受信する。ユーザインタフェース手段１１２は再生開始指示信号を受信したら、制御手段１１１に再生開始指示信号を受信したことを通知し、制御手段１１１はまずプレイリスト００００１．ｒｐｌｓを第１記録手段１０９を制御してＨＤＤから一時記憶手段１０２の記録データ記憶領域１０２７に書き込み、プレイリスト００００１．ｒｐｌｓに含まれている再生コンテンツリストを読み出す。再生コンテンツリストには、映像・音声情報ファイル００００１．ｃｌｐｉ、００００２．ｃｌｐｉ、００００３．ｃｌｐｉ、及び００００４．ｃｌｐｉが指定されている。制御手段１１１はダビングの場合と同様に第１記録手段１０９を制御し、ＨＤＤに記録してあるＣＰＳＵｎｉｔ００００１．ｃｃｉ、ＣＰＳＵｎｉｔ００００２．ｃｃｉ、ＣＰＳＵｎｉｔ００００３．ｃｃｉ、ＣＰＳＵｎｉｔ００００４．ｃｃｉを一時記憶手段１０２の記録データ記憶領域１０２７に書き込み、各Ｕｎｉｔ Ｕｓａｇｅ ＦｉｌｅのＣＣＩ Ｓｅｑｕｅｎｃｅ ＩｎｆｏｒｍａｔｉｏｎのＣＣＩ領域ＣＣＩ０３１０を読み出し、コピー制御情報を判別する。本実施例においては、第２ストリームと第４ストリームのコピー制御情報がコピー禁止、第１ストリームと第３ストリームがコピー制限無しのコンテンツとなっている。したがって、制御手段１１１は、第１記録手段１０９に対し第１ストリームの映像・情報ファイルである００００１．ｍ２ｔｓに引き続き、第３ストリームの映像・情報ファイルである００００３．ｍ２ｔｓを一時記録手段１０２のデジタル放送データ記憶領域１０２１に書き込むよう指示する。ＤＥＭＵＸ手段１０４は一時記憶手段１０２のデジタル放送データ記憶領域１０２１に第１記録手段１０９から書き込みされている前記デジタル放送データが、制御手段１１１があらかじめ設定した量を超えて蓄積されたら一時記憶手段１０２のデジタル放送データ記憶領域１０２１から読み出しを行い、該デジタル放送データを、映像圧縮データ、音声圧縮データ、及び制御データに振り分け、該映像圧縮データを一時記憶手段１０２の映像圧縮データ記憶領域１０２２に、また該音声圧縮データを一時記憶手段１０２の音声圧縮データ記憶領域１０２３に書き込み、該制御データのうち、デコードなどに必要な情報を制御手段１１１に出力する。また該制御データの全部または一部を一時記憶手段１０２の制御データ記憶領域１０２４に書き込み、制御手段１１１が該制御データの全部または一部を読み出しても良い。以降、映像デコード手段１０５、音声デコード手段１０６、映像再生手段１０７、及び映像再生手段１０８の動作は前記のデジタル放送のコンテンツの再生のみを行う場合と同様である。
【００２８】
以上のように、コピー制御情報検出手段を設け、デジタル放送データにおいてコピー制御情報のレベルが切り替わるごとに新たなＣＰＳ Ｕｎｉｔ Ｕｓａｇｅ Ｆｉｌｅと新たな映像・音声ファイルとすることにより、ダビング時に映像・音声情報ファイル内のサーチ、ＣＰＳ Ｕｎｉｔ Ｕｓａｇｅ Ｆｉｌｅ内のサーチを行わなくても、各々のＣＰＳ Ｕｎｉｔ Ｕｓａｇｅ ＦｉｌｅのＣＣＩ Ｓｅｑｕｅｎｃｅ Ｉｎｆｏｒｍａｔｉｏｎの先頭のＣＣＩ領域ＣＣＩ０３１０を読み出すだけでコピー可能／禁止の判別を容易に行うことができ、ダビング処理が簡便になる。
【００２９】
なお本実施例では、図６において、放送されている全てのコンテンツは暗号化されている場合について説明したが、一部のコンテンツが暗号化されていない場合はＣＰＳ Ｕｎｉｔ Ｕｓａｇｅ Ｆｉｌｅは生成しない。この場合、制御手段１１１はダビング動作や録画データ出力動作において、対応するＣＰＳ Ｕｎｉｔ Ｕｓａｇｅ Ｆｉｌｅが存在しない映像・音声ファイルはコピー制限無しとみなして処理を行う。
【００３０】
また、本実施例においてはＳｙｓｔｅｍ Ｄｅｓｃｒｉｐｔｉｏｎ Ｂｌｕ−ｒａｙ Ｄｉｓｃ Ｒｅｗｒｉｔａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎに準拠したＢＤＡＶ形式のディレクトリ・ファイル構成について示したが、Ｓｙｓｔｅｍ Ｄｅｓｃｒｉｐｔｉｏｎ Ｂｌｕ−ｒａｙ Ｄｉｓｃ Ｒｅｃｏｒｄａｂｌｅ Ｆｏｒｍａｔ, Ｐａｒｔ ３ Ａｕｄｉｏ Ｖｉｓｕａｌ Ｂａｓｉｃ Ｓｐｅｃｉｆｉｃａｔｉｏｎに準拠したＢＤＭＶ形式についても、同様の映像・音声ファイルの生成、ＣＰＳ Ｕｎｉｔ Ｕｓａｇｅ Ｆｉｌｅの生成を行っても良い。
【００３１】
また、本実施例においては図６のようなコンテンツを録画したものを、プレイリスト編集やプレイリスト削除などのユーザ操作を行わない状態でダビングを行った例を示したが、例えばユーザによってプレイリストの編集やプレイリストの削除などが行われ、映像・音声ファイルの途中からの部分や途中までの部分がダビング対象となって、ダビング指示や録画データ出力指示が行われても、指定されたプレイリストの再生コンテンツリストを見て、該当する映像・音声情報ファイルに対応するＣＰＳ Ｕｎｉｔ Ｕｓａｇｅ ＦｉｌｅのＣＣＩ Ｓｅｑｕｅｎｃｅ Ｉｎｆｏｒｍａｔｉｏｎの先頭のＣＣＩ領域ＣＣＩ０３１０を読み出してコピー可能／禁止の判別を行うことで、本実施例と同様に簡便なダビング処理や録画データ出力処理が可能になる。
【００３２】
また、本実施例ではＣＰＳ Ｕｎｉｔ Ｕｓａｇｅ ＦｉｌｅのＣＣＩ Ｓｅｑｕｅｎｃｅ Ｉｎｆｏｒｍａｔｉｏｎの先頭のＣＣＩ領域ＣＣＩ０３１０を読み出してコピー可能／禁止の判別を行うとしたが、ＣＰＳ Ｕｎｉｔ Ｕｓａｇｅ ＦｉｌｅにはＢａｓｉｃ ＣＣＩ ｆｏｒ ＡＡＣＳという該ＣＰＳ Ｕｎｉｔに関する情報も格納され、図１２のデータ構成をとる。Ｂａｓｉｃ ＣＣＩ ｆｏｒ ＡＡＣＳはＣＣＩ＿ａｎｄ＿ｏｔｈｅｒ＿ｉｎｆｏ＿ｔｙｐｅ領域ＢＣＣＩ０１、ＣＣＩ＿ａｎｄ＿ｏｔｈｅｒ＿ｉｎｆｏ＿ｖｅｒｓｉｏｎ領域ＢＣＣＩ０２、ＣＣＩ＿ａｎｄ＿ｏｔｈｅｒ＿ｉｎｆｏ＿ｄａｔａ＿ｌｅｎｇｔｈ領域ＢＣＣＩ０３、ｒｅｓｅｒｖｅｄ領域ＢＣＣＩ０４、ＥＰＮ領域ＢＣＣＩ０５、ＣＣＩ領域ＢＣＣＩ０６、ｒｅｓｅｒｖｅｄ領域ＢＣＣＩ０７、Ｔｒｕｓｔｅｄ＿Ｉｎｐｕｔ領域ＢＣＣＩ０８、Ｉｍａｇｅ＿Ｃｏｎｓｔｒａｉｎｔ＿Ｔｏｋｅｎ領域ＢＣＣＩ０９、Ｄｉｇｉｔａｌ＿Ｏｎｌｙ＿ＴｏｋｅｎＢＣＣＩ１０、ＡＰＳ領域ＢＣＣＩ１１、及びｒｅｓｅｒｖｅｄ領域ＢＣＣＩ１２を有する。ここでＣＣＩ領域ＢＣＣＩ０６は、当該ＣＰＳ Ｕｎｉｔの中で最も厳しいコピー制御のレベルを示しているもののコピー制御情報を値として設定するものであり、本実施例においてはひとつのＣＰＳ Ｕｎｉｔは同じコピー制御のレベルであるので、ＣＣＩ領域ＢＣＣＩ０６はＣＣＩ Ｓｅｑｕｅｎｃｅ Ｉｎｆｏｒｍａｔｉｏｎの先頭のＣＣＩ領域ＣＣＩ０３１０と同じコピー制御のレベルである。したがって、Ｂａｓｉｃ ＣＣＩ ｆｏｒ ＡＡＣＳのＣＣＩ領域ＢＣＣＩ０６を読み出してコピー可能／禁止の判別を行っても同様に簡便なダビング処理や録画データ出力処理が可能になる。
【００３３】
また、本実施例では社団法人  電波産業会の地上デジタルテレビジョン放送運用規定、及びＢＳ/広帯域ＣＳデジタル放送運用規定によるＴＶ放送を例とし、デジタルコピー制御記述子のデータ構成が図３であるとしたが、規定改定等でデータ構成が変わったとしても、コピー制御情報ＤＣＣ３及びコピー制御情報ＤＣＣ１０に相当する、少なくとも「制約条件無しにコピー可能」、「１世代のみコピー可能」、及び「コピー禁止」のコピー制約のレベルを区別できる情報が定期的に放送されるものであれば、図３のデータ構成および図４のフローの限りではない。
【００３４】
また、本実施例ではＡｄｖａｎｃｅｄ  Ａｃｃｅｓｓ Ｃｏｎｔｅｎｔ  Ｓｙｓｔｅｍ（ＡＡＣＳ）に準拠するＣＰＳ Ｕｎｉｔ Ｕｓａｇｅ Ｆｉｌｅを例とし、ＣＰＳ Ｕｎｉｔ Ｕｓａｇｅ Ｆｉｌｅのデータ構成が図８であり、ＣＣＩ Ｓｅｑｕｅｎｃｅ Ｉｎｆｏｒｍａｔｉｏｎが図９であるとしたが、規格改訂などでＣＰＳ Ｕｎｉｔ Ｕｓａｇｅ Ｆｉｌｅのデータ構成やＣＣＩ Ｓｅｑｕｅｎｃｅ Ｉｎｆｏｒｍａｔｉｏｎのデータ構成が変わったとしても、ＣＣＩ領域ＣＣＩ０３１０に相当する、少なくとも「コピー制限無し」、「更なるコピー禁止」を区別するコピー制御情報を含むファイルを有するものであれば、図８及び図９のデータ構成の限りではない。
【００３５】
また、本実施例では、録画中にコピー禁止のコンテンツを受信した場合には、そのコンテンツについての映像・音声ファイル、映像・音声情報ファイル、及びＣＰＳ Ｕｎｉｔ Ｕｓａｇｅ Ｆｉｌｅを作成しないとしたが、制御手段１１１がコピー禁止の旨を表示する画面や音声を作成またはあらかじめ一時記憶手段１０２などのメモリに格納しておき、録画中にコピー禁止のコンテンツを受信した場合には、該コピー禁止の旨を表示する画面や音声を映像・音声ファイルとし、該コピー禁止の旨を表示する画面や音声に応じた映像・音声情報ファイル、及びＣＰＳ Ｕｎｉｔ Ｕｓａｇｅ ＦｉｌｅのＣＣＩ Ｓｅｑｕｅｎｃｅ Ｉｎｆｏｒｍａｔｉｏｎの先頭のＣＣＩ領域ＣＣＩ０３１０は「制約条件無しにコピー可能」を示す値にして第１記録手段１０９のＨＤＤに記録しても良い。
【００３６】
また、本実施例では、映像及び音声のデジタル放送について説明したが、映像のみのデジタル放送、または音声のみのデジタル放送であっても、それぞれ音声に関するデータの処理、映像に関するデータの処理を省いた動作を行って良い。この場合も本実施例と同様の効果が得られる。
【００３７】
なお、本実施例ではコンテンツ記録・再生装置は記録手段を第１記録手段１０９と第２記録手段の２つとしたが、３手段以上有しても良い。
【実施例２】
【００３８】
実施例２を説明する。
【００３９】
実施例２におけるコンテンツ記録・再生装置の構成例を図１３に示す。図１３において、実施例１と同様の動作を行うものについては図１と同じ番号を付している。実施例１と異なる点は、第２記録手段１１０が実施例２では削除されており、デジタルインタフェース手段１１３が加わっている点である。デジタルインタフェース１１３は、ＵＳＢ（Ｕｎｉｖｅｒｓａｌ Ｓｅｒｉａｌ Ｂｕｓ）やＩＥＥＥ１３９４などのデジタルバス接続を行うためのインタフェース手段であり、外付け用ＨＤＤドライブやＢＤドライブやデジタル録画機などのデジタル機器と接続するためのインタフェース手段である。本実施例においては外付け用ＨＤＤドライブを接続した場合について説明する。
【００４０】
実施例２におけるコンテンツ記録・再生装置の動作を説明する。
【００４１】
実施例２において、ユーザが録画を開始してから録画を終了させるまでのコンテンツ記録・再生装置の動作、及び第１記録手段１０９のＨＤＤに記録したコンテンツの再生動作は実施例１と同様であるので、説明は省略する。
【００４２】
次に、第１記録手段１０９のＨＤＤに記録したコンテンツを、他のデジタル機器に出力する場合のコンテンツ記録・再生装置の動作について説明する。なお、第１記録手段１０９のＨＤＤに記録されているコンテンツは実施例１にて記録した、図１０のディレクトリ及びファイル構成であるものとし、ユーザは他のデジタル機器への出力開始指示前に、出力対象のプレイリストを選択し、コンテンツ記録・再生装置にリモコンなどで指示しているものとする。本実施例では図１０の００００１．ｒｐｌｓのプレイリストを選択しているものとする。ユーザがリモコンなどで他のデジタル機器への出力開始を指示したら、リモコンから他のデジタル機器への出力開始指示信号を出力し、ユーザインタフェース手段１１２で該出力開始指示信号を受信する。ユーザインタフェース手段１１２は該出力開始指示信号を受信したら、制御手段１１１に該出力開始指示信号を受信したことを通知し、制御手段１１１は該通知を受けたら、第１記録手段１０９にＨＤＤに記録されているデータを、コピー制御情報が更なるコピー禁止を示しているコンテンツ以外を一時記憶手段１０２の記録データ記憶領域１０２７に書き込むよう制御する。このとき、制御手段１１１はまずプレイリスト００００１．ｒｐｌｓを第１記録手段１０９を制御してＨＤＤから一時記憶手段１０２の記録データ記憶領域１０２７に書き込み、プレイリスト００００１．ｒｐｌｓに含まれている再生コンテンツリストを読み出す。再生コンテンツリストには、映像・音声情報ファイル００００１．ｃｌｐｉ、００００２．ｃｌｐｉ、００００３．ｃｌｐｉ、及び００００４．ｃｌｐｉが指定されている。ここで、ＣＰＳ Ｕｎｉｔと各映像・音声情報ファイルは１対１で対応しており、本実施例では１つのＣＰＳ Ｕｎｉｔに対し１ファイルのＣＰＳ Ｕｎｉｔ Ｕｓａｇｅ Ｆｉｌｅが対応しているので、制御手段１１１は第１記録手段１０９を制御し、ＨＤＤに記録してあるＣＰＳＵｎｉｔ００００１．ｃｃｉ、ＣＰＳＵｎｉｔ００００２．ｃｃｉ、ＣＰＳＵｎｉｔ００００３．ｃｃｉ、ＣＰＳＵｎｉｔ００００４．ｃｃｉを一時記憶手段１０２の記録データ記憶領域１０２７に書き込み、各Ｕｎｉｔ Ｕｓａｇｅ ＦｉｌｅのＣＣＩ Ｓｅｑｕｅｎｃｅ ＩｎｆｏｒｍａｔｉｏｎのＣＣＩ領域ＣＣＩ０３１０を読み出し、コピー制御情報を判別する。本実施例においては、第２ストリームと第４ストリームのコピー制御情報がコピー禁止、第１ストリームと第３ストリームがコピー制限無しのコンテンツとなっている。したがって、制御手段１１１は、第１記録手段１０９から第２ストリームのＣＰＳ Ｕｎｉｔ Ｕｓａｇｅ ＦｉｌｅであるＣＰＳＵｎｉｔ００００２．ｃｃｉ、第４ストリームのＣＰＳ Ｕｎｉｔ Ｕｓａｇｅ ＦｉｌｅであるＣＰＳＵｎｉｔ００００４．ｃｃｉ、第２ストリームの映像・音声情報ファイルである００００２．ｃｌｐｉ、第４ストリームの映像・音声情報ファイルである００００４．ｃｌｐｉ、第２ストリームの映像・音声ファイルである００００２．ｍ２ｔｓ、第４ストリームの映像・音声ファイルである００００４．ｍ２ｔｓを除く図１０のディレクトリ及びファイル構成であって、なおかつ他のファイルは第２ストリーム及び第４ストリームに関する情報を削除してファイルを再生成したデータにして一時記録手段１０２の記録データ記憶領域１０２７に書き込み、デジタルインタフェース手段１１３に記録データ記憶手段１０２７内のデータを接続している外付け用ＨＤＤに出力するよう指示する。図１１は、出力後の外付け用ＨＤＤに記録しているデータのディレクトリ及びファイル構成の例を示したものである。図１１において、ＣＰＳ Ｕｎｉｔ Ｕｓａｇｅ Ｆｉｌｅのファイル名、プレイリストのファイル名、映像・音声情報ファイルのファイル名、及び映像・音声ファイル名につけられる５桁の１０進数の値はこの限りではない。図１１中、※印が付いたファイルは、最低限第２ストリーム及び第４ストリームに関する情報を削除して再生成する必要があるファイルである。
【００４３】
以上のように、コピー制御情報検出手段を設け、デジタル放送データにおいてコピー制御情報のレベルが切り替わるごとに新たなＣＰＳ Ｕｎｉｔ Ｕｓａｇｅ Ｆｉｌｅと新たな映像・音声ファイルとすることにより、他のデジタル機器への出力時に映像・音声情報ファイル内のサーチ、ＣＰＳ Ｕｎｉｔ Ｕｓａｇｅ Ｆｉｌｅ内のサーチを行わなくても、各々のＣＰＳ Ｕｎｉｔ Ｕｓａｇｅ ＦｉｌｅのＣＣＩ Ｓｅｑｕｅｎｃｅ Ｉｎｆｏｒｍａｔｉｏｎの先頭のＣＣＩ領域ＣＣＩ０３１０を読み出すだけでコピー可能／禁止の判別を容易に行うことができ、他のデジタル機器への出力処理が簡便になる。
【００４４】
なお、本実施例ではコンテンツ記録・再生装置は記録手段を第１記録手段１０９の１つとしたが、複数手段有しても良い。
【００４５】
また以上実施例１乃至３の処理は、ハードウェアでも実現できるが、マイコンなどを使用したソフトウェアで実現しても良い。
【図面の簡単な説明】
【００４６】
【図１】実施例１におけるコンテンツ記録・再生装置の構成
【図２】一時記憶手段１０２の領域構成例
【図３】デジタルコピー制御記述子の構成
【図４】デジタル放送データからのコピー制御情報検出フロー
【図５】ｔｒａｎｓｐｏｒｔ＿ｐａｃｋｅｔのデータ構成
【図６】ＴＶ放送波で送信されるコンテンツのデジタルコピー許可状態と、コンテンツ記録・再生装置の録画状態の関係の例
【図７】デジタル放送録画時の記録媒体上のディレクトリ及びファイル構成例
【図８】ＣＰＳ Ｕｎｉｔ Ｕｓａｇｅ Ｆｉｌｅのデータ構成
【図９】ＣＣＩ Ｓｅｑｕｅｎｃｅ Ｉｎｆｏｒｍａｔｉｏｎのデータ構成
【図１０】実施例１における記録媒体上のディレクトリ及びファイル構成例
【図１１】実施例１におけるダビング後のダビング先記録媒体上のディレクトリ及びファイル構成例
【図１２】Ｂａｓｉｃ ＣＣＩ ｆｏｒ ＡＡＣＳのデータ構成
【図１３】実施例２におけるコンテンツ記録・再生装置の構成例
【符号の説明】
【００４７】
１    コンテンツ記録・再生装置
２    映像出力手段
３    音声出力手段
１０１    放送受信手段
１０２    一時記憶手段
１０３Ａ    第１コピー制御情報検出手段
１０３Ａ    第２コピー制御情報検出手段
１０４    ＤＥＭＵＸ手段
１０５    映像デコード手段
１０６    音声デコード手段
１０７    映像再生手段
１０８    音声再生手段
１０９    第１記録手段
１１０    第２記録手段
１１１    制御手段
１１２    ユーザインタフェース手段
【図１】
2010152999.tif 000003
【図２】
2010152999.tif 000004
【図３】
2010152999.tif 000005
【図４】
2010152999.tif 000006
【図５】
2010152999.tif 000007
【図６】
2010152999.tif 000008
【図７】
2010152999.tif 000009
【図８】
2010152999.tif 000010
【図９】
2010152999.tif 000011
【図１０】
2010152999.tif 000012
【図１１】
2010152999.tif 000013
【図１２】
2010152999.tif 000014
【図１３】
2010152999.tif 000015